(57)【特許請求の範囲】
【請求項１】
周面に複数の煙導入口を有し、上部が開口された箱体からなる煙導入部と、該煙導入部の上方に設けられて前記煙導入部から導入された煙を検知する検煙部を収容する本体部とを備え、
前記本体部内でかつ前記検煙部の真上に前記検煙部に導入された煙が直ぐに流出するのを防止する隔壁を備えたことを特徴とする火災感知器。
【請求項２】
前記隔壁に小孔を設けたことを特徴とする火災感知器。
【請求項３】
周面に複数の煙導入口を有し、上部が開口された箱体からなる煙導入部と、該煙導入部の上方に設けられて前記煙導入部から導入された煙を検知する検煙部と、該検煙部で煙が検知されたときに点灯する表示灯とを備え、
前記煙導入部内を前記煙導入口に対応する部屋と前記表示灯が収容される部屋とに区画する隔壁を設けたことを特徴とする火災感知器。
【発明の詳細な説明】
【０００１】
【産業上の利用分野】
本発明は火災感知器に関するものである。
【０００２】
【従来の技術】
図１０はシステム天井の天井板に取り付けられた従来の露出型の火災感知器を示す説明図である。図において、１２１は天井板１２２に穿設した天井孔、１２３は電源兼信号線等の配線、１２４は内部に円筒形の検煙部１２５を備えた円筒状の火災感知器の本体、１２６は検煙部１２５の外周に設けられた防虫用の金網である。１２７は本体１２４を天井板１２２側に取付けるための露出型ベースで、天井板１２２にねじあるいはボルト・ナット等の図示しない固定手段により固定されている。
【０００３】
上記のように構成された従来の火災感知器においては、天井面に沿って水平方向に流れる煙を本体１２４の煙導入口から金網１２６を介して検煙部１２５に導入して検知するのである。
【０００４】
【発明が解決しようとする課題】
しかし、近来、天井面をできるだけすっきりさせるために、火災感知器の小型化が要請されているが、上述した従来例のように、水平方向に流れる煙を直接検煙部１２５に導入する方式では、検煙部自体一定の幅を必要とするため天井面への露出部を小形化するのが困難であり、Ｔバーの隙間のような幅の狭い箇所に取り付けることができなかった。
【０００５】
本発明は、上記の課題を解決すべくなされたもので、火災感知器内を煙が下から上へ流すことができ、Ｔバーの隙間のような幅の狭い箇所にも取り付けることができる火災感知器を得ることを目的としている。
【０００９】
【課題を解決するための手段】
第１の発明に係る火災感知器は、周面に複数の煙導入口を有し、上部が開口された箱体からなる煙導入部と、該煙導入部の上方に設けられて前記煙導入部から導入された煙を検知する検煙部を収容する本体部とを備え、前記本体部内でかつ前記検煙部の真上に前記検煙部に導入された煙が直ぐに流出するのを防止する隔壁を備えたものである。
【００１０】
また、第２の発明に係る火災感知器は、上記第１の発明の隔壁に小孔を設けたものである。
【００１２】
さらに、第３の発明に係る火災感知器は、周面に複数の煙導入口を有し、上部が開口された箱体からなる煙導入部と、該煙導入部の上方に設けられて前記煙導入部から導入された煙を検知する検煙部と、該検煙部で煙が検知されたときに点灯する表示灯とを備え、前記煙導入部内を前記煙導入口に対応する部屋と前記表示灯が収容される部屋とに区画する隔壁を設けたものである。
【００１７】
【作用】
上記のように構成した第１の発明においては、本体部内でかつ検煙部の上方に設けた隔壁が、検煙部に導入された煙が直ぐに上方に流出するのを防止する。
【００１８】
また、上記のように構成した第２の発明においては、隔壁に小孔を設けたので、煙が検煙部内に一定時間滞留すると共にスムーズに通過することができる。
【００２０】
さらに、上記のように構成した第３の発明においては、煙導入部内を煙導入口に対応する部屋と表示灯が収容される部屋とに区画する隔壁を設けたので、表示灯が煙の影響を受けずその点灯を確認しやすい。
【００２２】
【実施例】
図１は本発明に係る火災感知器の外観を示す斜視図である。図に示すように、本実施例の火災感知器１は、ケース本体３と、カバー５と、煙導入部７とによりほぼ直方体状に形成されており、実施例では、高さＨを約１１０ｍｍ、幅Ｗを約６０ｍｍ、厚さＴを約２４ｍｍとした。
【００２３】
図２、図３は火災感知器１の分解図であり、図２（ａ）はケース本体３及び検煙部、図２（ｂ）は図２（ａ）の一部を断面で示す側面をそれぞれ示し、図３（ａ）はカバー５、図３（ｂ）は煙導入部７をそれぞれ示している。
ケース本体３は図２（ａ），（ｂ）に示すように、下部を除く三方に側壁を有する断面コ字状に形成され、上面にはコネクタ３３の嵌入部１１が設けられ、下部両側には係止部１３ａ，１３ｂが設けられており、下端中央部には先端部外面に係止爪を有する係止片１５ａが突設されている。１７ａ，１７ｂは両側壁の内側に設けられたカバー５の嵌合溝である。
【００２４】
１９はケース本体３内に配設されたプリント基板で、一方の面には例えばチップ部品等の多数の電気部品が搭載されて検出回路、増幅回路等が形成されており、他方の面には発光素子２１と受光素子２３が搭載されると共に広い面積にわたって電気的シールドパターンが設けられ、また外周に防虫用の金網２５（図２（ｂ）参照）が装着されたラビリンス２７が取り付けられている。２９は受光素子２３の前方に設置されたレンズ、３１は火災が発生しない平常状態において受光素子２３が発光素子２１の光を直接受光しないようにするための遮光子である。ここで、発光素子２１はその光軸が火災感知器１を設置したときにほぼ水平になるように配置され、受光素子２３は発光素子２１に対して例えば時計方向に約１２０度回転した位置に配置されている。また、遮光子３１は発光素子２１に対して例えば時計方向に約６０度回転した位置であって、ラビリンス２７の中心から若干外方にずれた位置に配置されている。
３３はプリント基板１９に機械的、電気的に接続されたコネクタ、３５はプリント基板１９に接続され、ケース本体３から突出した確認灯である。なお、３７ａ，３７ｂはケース本体３とプリント基板１９に貫設されたねじ挿通穴である。
【００２５】
カバー５は図３（ａ）に示すように、下部を除く三方に側壁を有する断面コ字状に形成されており、そのほぼ中央部にはラビリンス２７へ導入された煙が直ぐに抜けてしまうのを防止するための半円状の隔壁３９が設けられており、隔壁３９はその中央部に凹陥部３９ａを有している。また、カバー５の両側壁の下部内側には煙導入部７より導入された煙をラビリンス２７へ案内する案内片４１ａ，４１ｂが立設されている。４３はコネクタ３３の嵌入部であり、その下部には凹陥部４３ａが設けられている。４５ａ，４５ｂはねじ穴を有するスタッドである。１３ｃ，１３ｄは両側壁の下部に設けられた係止部、１５ｂは下端部に突設され外面に係止爪を有する係止片である。
【００２６】
煙導入部７は図３（ｂ）に示すように、上部が開口された直方体に形成されており、周壁に設けた複数の煙導入口４７（図１参照）には、防塵、防虫用のパンチメタルあるいは金網４９が張られている。５１ａ，５１ｂは煙導入部７内において、各煙導入口４７に対応して設けられた隔壁であり、煙導入部７内は隔壁５１ａ，５１ｂによって６個の煙導入口４７に対応した六部屋と、確認灯３５を収容するための一部屋の合計７個の部屋に区画されている。５３は確認灯３５が収容される部屋の底部の一方の側に偏って設けられた確認灯３５の点灯を確認するための確認穴である。５５ａ，５５ｂは周壁内面に突設され、ケース本体３とカバー５の係止片１５ａ，１５ｂの係止爪が係止する係止部である。なお、煙導入部７の開口部の一方の内壁（確認穴５３の反対側）には凹部５７が設けられており、カバー５の下端部にはこれに対応して凸部（図示せず）が設けられている。
【００２７】
上記のような各部からなる火災感知器４を組立てるには、先ず、プリント基板１９が配設されたケース本体３の嵌合溝１７ａ，１７ｂにカバー５の側壁を嵌合して両者を結合する。このとき、コネクタ３３はケース本体３とカバー５の嵌入部１１，４３内に収容されて上端部を露出しており、確認灯３５は下端部から突出する。ついで、ケース本体３及びプリント基板１９のねじ挿通穴３７ａ，３７ｂにねじを挿通してカバー５のスタッド４５ａ，４５ｂに設けたねじ穴に螺入し、両者を一体に固定する。
【００２８】
次に、結合されたケース本体３とカバー５の下端部に煙導入部７を嵌合し、その係止部５５ａ，５５ｂにケース本体３とカバー５の係止片１５ａ，１５ｂの係止爪を係止させる。これによりケース本体３、カバー５及び煙導入部７は、図１に示すように一体に結合され、その側壁にはケース本体３とカバー５の係止部１３ａと１３ｃ及び１３ｂと１３ｄによりそれぞれ凹状の係止穴１４ａ，１４ｂ（図１参照  なお、係止穴１４ｂは図示していない。）が形成され、また、確認灯３５は煙導入部７の確認穴５３に近接して位置する。
【００２９】
上記の火災感知器１には、図１に示すように、ケース本体３及びカバー５の縦方向の隅部にそれぞれ直角に切除された案内部５９ａ，５９ｂ、６１ａ，６１ｂが設けられている。
【００３０】
次に、上記のような火災感知器１をＴバーの隙間又は天井面に取り付ける取付装置について説明する。
図４は本実施例の取付装置の正面図、図５はその側面図で、直方体状の火災感知器１を取付装置によりＴバーの間に取付けた状態を示す。図において、６５はベース６６と弾性金具６７とからなる取付装置、６８は端子台、６９ａ，６９ｂはＴバーである。
【００３１】
取付装置６５のベース６６を構成する門型部７０は、図６に示すように、頂板７１と左右の縦壁７２ａ，７２ｂとにより門型に形成されている。そして、頂板７１の一方の縁部には、後述のコネクタ３３が嵌入される切欠き部７３と、その両側において上方に折曲げられた端子台６８の取付片７４ａ，７４ｂとが設けられており、他方の縁部には端子台６８が装着されるＬ字状の嵌合穴７５ａ，７５ｂが設けられている。７６ａ，７６ｂは頂板７１の両端部近傍に設けられたねじ挿通穴である。
【００３２】
７７ａ，７７ｂ及び７８ａ，７８ｂは両縦壁７２ａ，７２ｂの両縁部の下端部よりやや上方まで内側にほぼ９０°折曲げて形成された案内片であり、７９ａ，７９ｂは縦壁７２ａ，７２ｂの下端部に設けた切欠き部である。
【００３３】
ベース６６を構成する枠部８０は、上下が開口された長方形の周壁８１と、その下端部が外方にほぼ水平に折曲げられて形成されたフランジ部８２とからなり、周壁８１には門型部７０の縦壁７２ａ，７２ｂの切欠き部７９ａ，７９ｂに対応して切欠き部８３ａ，８３ｂが設けられている。なお、フランジ部８２は周壁８１の長手方向の両側のみに設けてもよい。８５はフランジ部８２に設けた指標である。なお、この枠部８０は、その切欠き部８３ａ，８３ｂを門型部７０の切欠き部７９ａ，７９ｂと整合させ、門型部７０の下端部にスポット溶接等により一体に接合されている。
【００３４】
８６ａ，８６ｂはぼぼ逆Ｊ字状の板ばねで、その下端部が枠部８０の切欠き部８３ａ，８３ｂの下方にスポット溶接等によって接合されており、上端部は門型部７０の切欠き部７９ａ，７９ｂから内側に突出して係止部８７ａ，８７ｂを構成している。
なお、ベース６６の高さ、縦壁７２ａ，７２ｂの幅、及び枠部８０の周壁８１で形成された火災感知器１の挿入口８８は、前述の直方体状の火災感知器１を嵌入しうる大きさに形成されている。この場合、挿入口８８の長さ方向は、火災感知器１の幅より若干大きく形成してもよい。
【００３５】
弾性金具６７は、図７に示すように、例えばステンレスの如き弾性材からなり、上端部が平坦に形成されたほぼ逆Ｖ字状の一対の弾性部９１ａ，９１ｂと、両弾性部９１ａ，９１ｂの下端部を連結する連結部９２ａ，９２ｂとからなり、連結部９２ａ，９２ｂの下端部は互いに内側に折曲げられて固定片９３ａ，９３ｂが形成されている。９４ａ，９４ｂは連結部９２ａ，９２ｂのほぼ中央部を折曲げずに延出して形成された係止片で、その下端部は固定片９３ａ，９３ｂと下面とほぼ同一平面上に位置している。９５ａ，９５ｂは上部の平坦部に設けたねじ穴である。
【００３６】
次に、上述のような取付装置６５を用いて火災感知器１をシステム天井のＴバーの間に取付ける手順の一例について説明する。
（１）先ず、頂板７１に端子台６８が取付けられたベース６６を、図８に示すように、下から弾性金具６７の弾性部９１ａ，９１ｂの間に挿入し、ベース６６のねじ挿通穴７６ａ，７６ｂに下からねじ１１１ａ，１１１ｂを挿通して弾性部９１ａ，９１ｂのねじ穴９５ａ，９５ｂに軽く螺入する。
【００３７】
（２）弾性金具６７をその下端部がベース６６の枠部８０の上端部に達するまで引上げ、弾性部９１ａ，９１ｂがほぼ垂直になるように２本の指で押圧する。そして、弾性金具６７を下降させてその係止片９４ａ，９４ｂをベース６６の枠部８０の周壁８１内に挿入し、係止させる。これにより、弾性金具６７の幅は枠部８０の周壁８１の幅より狭くなる。
【００３８】
（３）この状態で、システム天井のＴバー６９ａ，６９ｂの間から引出したコモン線などを端子台６８に接続し、図９に示すように、取付装置６５をＴバー６９ａ，６９ｂの間から挿入し、ベース６６の下端部に設けたフランジ部８２をＴバー６９ａ，６９ｂの下面に当接させる。そして、下から弾性金具６７の固定片９３ａ，９３ｂを押上げると、係止片９４ａ，９４ｂの係止が外れて弾性金具６７はその弾性により図８に示すような元の状態に戻る。
【００３９】
（４）ついで、ベース６６の挿入口８８からドライバを差込んでねじ１１１ａ，１１１ｂを螺入すれば、弾性金具６７が下降してその固定片９３ａ，９３ｂがＴバー６９ａ，６９ｂの上面に当接し、ベース６６のフランジ部８２とによりＴバー６９ａ，６９ｂを挟持する。さらにねじ１１１ａ，１１１ｂを螺入すると、フランジ部８２と固定片９３ａ，９３ｂはＴバー６９ａ，６９ｂに圧接され、取付装置６５はＴバー６９ａ，６９ｂ間に強固に固定される。
【００４０】
（５）この状態で、ベース６６の挿入口８８に下から火災感知器１を挿入して押込めば、そのコネクタ３３は端子台６８に接続され、また、側壁に設けた係止穴１４ａ，１４ｂにはベース６６に設けた板ばね８６ａ，８６ｂが係止し、図４、図５に示すように、火災感知器１は取付装置６５に確実に保持される。
このとき、Ｔバー６９ａ，６９ｂの下面には、ベース６６のフランジ部８２が露出し、フランジ部８２の間からは火災感知器１の煙導入部７のみが突出する。
【００４１】
なお、火災感知器１の取付装置６５への挿入にあたっては、取付装置６５のベース６６に設けた案内片７７ａ，７７ｂ，７８ａ，７８ｂによって、また、火災感知器１の案内部５９ａ，５９ｂ，６１ａ，６１ｂが案内されるので、スムーズに挿入して取付けることができる。
【００４２】
保守点検等のため火災感知器１を取付装置６５から取出すときは、取付装置６５の板ばね８６ａ，８６ｂを外方に弾性変形させて係止部１４ａ，１４ｂとの係止を解除して火災感知器１を引出せば、容易に取出すことができる。
【００４３】
上記の説明では、門型部７０の縦壁７２ａ，７２ｂの下方に係止部８７ａ，８７ｂを設けた場合を示したが、火災感知器１の係止部１４ａ，１４ｂの位置に応じて適宜変更することができる。
また、弾性金具６７の弾性部９１ａ，９１ｂの下端部を連結部材９２ａ，９２ｂで連結した場合を示したが、連結部材９２ａ，９２ｂを省略し、独立した２つの弾性部９１ａ，９１ｂで弾性金具６７を構成してもよい。
さらに、上記の実施例では、火災感知器１をＴバー６９ａ，６９ｂの間に取付ける場合を示したが、天井等に設けた穴にも同様にして火災感知器１を取付けることができる。
【００４４】
次に、上記のようにしてＴバー６９ａ，６９ｂの間に取付けられた火災感知器１の動作を図１，図２に基づいて説明する。屋内に火災が発生すると、火災によって発生した煙が火災時の熱による上昇気流に乗って上昇し、火災感知器１の煙導入部７に設けられた金網４９を介して複数の煙導入口４７から煙導入部７内部に流入する。このとき、煙導入部７内は隔壁５１ａ，５１ｂによって７個の部屋に区画されているので、ある煙導入口４７から流入した煙が他の煙導入口４７から流入した煙に押し出されることがなく、煙導入口４７に流入した煙は全て上方に設置されたラビリンス２７側へスムーズに流れる。
【００４５】
煙導入部７を通過した煙はカバー５の両側壁の下部内側に設けられた案内片４１ａ，４１ｂに案内されて金網２５を介してラビリンス２７へと導入される。このラビリンス２７へ導入される煙は煙導入部７及びラビリンス２７の外周に装着された２つの金網４９及び金網２５とを通過するため、煙に含まれる塵埃はこれらの金網４９及び金網２５で捕獲され、ラビリンス２７内へ入ることがなく、塵埃に起因する誤作動を防止することができる。
【００４６】
また、ラビリンス２７内では発光素子２１が周期的（例えば3.5 秒毎）に発光し、この光が流入した煙によって散乱反射され、これが受光素子２３に到達することによって煙の検知が行われる。このように、発光素子２１は周期的に発光するものであるためラビリンス２７内に導入された煙を一定時間以上ラビリンス２７内に滞留させる必要があるが、この点、本実施例ではカバー５のほぼ中央部に隔壁３９を設けているので、この隔壁３９が抵抗となってラビリンス２７内に導入された煙は直ぐに流出することなく一定時間ラビリンス２７内に滞留することになる。その後、この煙は隔壁３９の中央部に設けられた凹陥部３９ａを通過して、さらにコネクタの嵌入部４３に設けられた凹陥部４３ａを通り、外部へ排出される。
【００４７】
なお、ラビリンス２７内に滞留している煙が上方に排出されずにラビリンス２７内で落下する場合には、その煙の粒子が発光素子２１、受光素子２３（レンズ２９）又は遮光子３１に付着し、火災感知器の感度に悪影響を及ぼすという問題がある。すなわち、煙の粒子が発光素子２１に付着した場合にはラビリンス２７内に発光される光量が減少して検出感度が悪くなる。また、遮光子３１に付着した場合には発光素子２１から発光された光が付着した煙の粒子で散乱されたり、逆に遮光されたりすることがあり、前者では検知感度が過敏になり後者では悪くなる。さらに、受光素子２３（レンズ２９）に付着した場合には付着した煙の粒子によって受光素子２３に入力される受光量が減少するため検出感度が悪くなる。
しかし、本実施例においては、発光素子２１はその光軸がほぼ水平になるように配置され、また受光素子２３は図２（ａ）から明らかなように光の導入部が下方を向くように配置されているので、煙の粒子が付着しにくくなり、上述のような問題が発生しにくい。なお、受光素子２３の光軸がほぼ水平になるように配置してもよく、また発光素子２１と受光素子２３の双方の光軸が下方向を向くように配置してもよい。
【００４８】
【発明の効果】
以上の説明から明らかなように、本発明によれば、次のような効果を得ることができる。
【００５２】
第１の発明においては、本体部内でかつ検煙部の上方に設けた隔壁によって検煙部に導入された煙が直ぐに上方に流出しないようにしたので、検煙部に導入された煙は発光素子が発光するサイクルタイムの間、検煙部内に滞留することになり、確実に火炎の検知ができる。
【００５３】
また、第２の発明においては、上記の隔壁に小孔を設けたので、煙が検煙部内に一定時間滞留すると共にスムーズに通過することができ、このため煙の導入がスムーズになり、火災を素早く感知できる。
【００５５】
さらに、第３の発明においては、煙導入部内を煙導入口に対応する部屋と表示灯が収容される部屋とに区画する隔壁を設けたので、表示灯が煙の影響を受けずその点灯を確認しやすい。
【図面の簡単な説明】
【図１】本発明の一実施例の斜視図である。
【図２】図１に示した実施例の分解図である。
【図３】図１に示した実施例の分解図である。
【図４】本実施例の取付装置の正面図である。
【図５】本実施例の取付装置の側面図である。
【図６】本実施例の取付装置を構成する門型部の斜視図である。
【図７】本実施例の取付装置を構成する弾性金具の斜視図である。
【図８】本発明の作用説明図である。
【図９】本発明の作用説明図である。
【図１０】従来の火災感知器の断面図である。
【符号の説明】
１  火災感知器
７  煙導入部
２１  発光素子
２３  受光素子
２７  ラビリンス
２５，４９  金網
４７  煙導入口
５１ａ，５１ｂ  隔壁
５３  確認穴
【図１】
0003766912.tif 000002
【図２】
0003766912.tif 000003
【図３】
0003766912.tif 000004
【図４】
0003766912.tif 000005
【図５】
0003766912.tif 000006
【図６】
0003766912.tif 000007
【図７】
0003766912.tif 000008
【図８】
0003766912.tif 000009
【図９】
0003766912.tif 000010
【図１０】
0003766912.tif 000011